(57)【要約】【課題】簡単な構造でヒーターボックスからの空気漏れを防止でき、効率良く輻射熱を供給することができる除湿機を提供することを目的としている。【解決手段】ヒーターボックス１０内部に、ヒーター線１１と、第一段の保護装置であるヒーターサーミスタ１２と、第二段の保護装置である温度ヒューズ１３を備え、ヒーターボックス１０にヒーター線１１を通す開孔部１０ｂを内側に絞り加工し、ヒーターボックス１０の外側に鍔部１４ａを有する碍子１４を設け、さらに碍子１４に接続する絶縁チューブをインシュロックタイ１６で押圧しつつ固定したことにより、密着性および気密性が向上して空気漏れを防止できる効果のある除湿機が得られる。【選択図】図１
2007271260.tif 000002
【特許請求の範囲】
【請求項１】
本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた開孔部と、一部に鍔部を形成した筒状の碍子と、前記ヒーターユニットから延設したヒーター線と接続するリード線と、このヒーター線およびリード線を覆う絶縁チューブとを有し、前記碍子を前記開孔部に嵌入して前記鍔部にて係止し、前記筒状の碍子が有する中央穴部に前記ヒーター線および前記リード線を貫通するとともに、前記絶縁チューブの一端を前記中央穴部を覆うように前記碍子に当接し、固定具にて前記絶縁チューブの他端を前記リード線に圧接することを特徴とする除湿機。
【請求項２】
碍子の他端に凹部を形成し、この凹部に絶縁チューブの一端が嵌入してなる請求項１記載の除湿機。
【請求項３】
本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の穴部と、前記ヒーターボックスの外側より前記穴部に合わせて設けた異常温度検出手段と、この異常温度検出手段を前記ヒーターボックスの外面とで挟持する固定板を有してなる除湿機。
【発明の詳細な説明】
【技術分野】
【０００１】
本発明は、室内空気を除湿するデシカント方式の除湿機に関するものである。
【背景技術】
【０００２】
従来、この種の除湿機は、図６〜図８に示すものが一般的であった。
【０００３】
以下、その除湿機について図を参照しながら説明する。
【０００４】
図に示すように、本体１０１内部に、駆動モーター１０２により回転される空気中の水分を吸脱着するための除湿ローター１０３と、この除湿ローター１０３を加熱する発熱ユニット１０４を設け、発熱ユニット１０４はヒーター線１０４ａを備えている。ヒーター線１０４ａで加熱された除湿ローター１０３は高温高湿空気を放出し、この高温高湿空気は熱交換器１０５と、サブ熱交換器１０６を通るときに結露水を生成し、この結露水は排水タンク１０９に流れ込む。また、除湿ローター１０３から熱交換器１０５、サブ熱交換器１０６、発熱ユニット１０４に戻る閉循環経路ａに空気を通風する第１の送風ファン１０７を設け、本体１０１内に室内空気を吸込み、乾燥空気を排出する通風路ｂに第２の送風ファン１０８を設けている。
【０００５】
前記発熱ユニット１０４は外郭であるヒーターボックス１０４ｂと、内部に異常温度上昇に対する安全性を確保するための第一段の保護装置であるヒーターサーミスタ１１０と、第二段の保護装置である温度ヒューズ１１１を備えている。ヒーター線１０４ａは金属製のヒーターボックス１０４ｂの開孔部に挿入された筒状碍子１１２を通して外部に導出され、絶縁チューブ１１３で覆われている。発熱ユニット１０４からの空気漏れによる除湿能力の低下を防止するために、碍子１１２の中央穴部と絶縁チューブ１１３端にシリコンボンド１１４を塗布した構成となっている。また、ヒーターサーミスタ１１０などのリード線をヒーターボックス１０４ｂ内から導出する場合も同一構成であり、碍子と絶縁チューブにシリコンボンドを塗布して空気漏れを防ぐものであった。
【発明の開示】
【発明が解決しようとする課題】
【０００６】
このような従来の除湿機に使用される発熱ユニットは、熱効率の低下を防止するために、発熱ユニットの複数の穴に後作業でシリコンボンドを塗布しているが、シリコンボンドが完全に硬化するまでの時間がかかり、硬化するまでは触ることが出来ず、塗布量の管理も難しく、シリコンボンド自体のコストが高いという課題があり、短時間の簡単な作業で高価な材料を使用することなく、ヒーターボックスの開孔部または碍子の中央穴部の空気漏れを防止することが要求されている。
【０００７】
また、異常温度検出用のヒーターサーミスタと温度ヒューズはヒーターボックス内に収納されているため、取付時やメンテナンスにおいて作業性が悪く、ヒーターボックスからリード線を引き出すのに空気漏れ対策を施す必要があるという課題があり、ヒーターサーミスタなどの異常温度検出部品の着脱が容易で、取付後に空気漏れを生じない構造とすることが要求されている。
【０００８】
本発明は、このような従来の課題を解決するものであり、組立が容易でコストを掛けずにヒーターボックスの開孔部または碍子の中央穴部からの空気漏れを防ぎ、またヒーターボックスへの異常温度検出手段の着脱が容易で空気漏れを生じない除湿機を提供することを目的としている。
【課題を解決するための手段】
【０００９】
本発明の除湿機は上記目的を達成するために、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた開孔部と、一部に鍔部を形成した筒状の碍子と、前記ヒーターユニットから延設したヒーター線と接続するリード線と、このヒーター線およびリード線を覆う絶縁チューブとを有し、前記碍子を前記開孔部に嵌入して前記鍔部にて係止し、前記筒状の碍子が有する中央穴部に前記ヒーター線および前記リード線を貫通するとともに、前記絶縁チューブの一端を前記中央穴部を覆うように前記碍子に当接し、固定具にて前記絶縁チューブの他端を前記リード線に圧接するというものである。
【００１０】
本発明によれば、組立が容易でコストを掛けずにヒーターボックスの開孔部からの空気漏れを防ぐことのできる除湿機が得られる。
【００１１】
また他の手段は、碍子の他端に凹部を形成し、この凹部に絶縁チューブの一端が嵌入するようにしたものである。
【００１２】
本発明によれば、組立が容易でコストを掛けずに碍子中央穴部からの空気漏れを防ぐことのできる除湿機が得られる。
【００１３】
また他の手段は、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の穴部と、前記ヒーターボックスの外側より前記穴部に合わせて設けた異常温度検出手段と、この異常温度検出手段を前記ヒーターボックスの外面とで挟持する固定板を設けたものである。
【００１４】
本発明によれば、ヒーターボックスへの異常温度検出部品の着脱が容易で空気漏れを生じない除湿機が得られる。
【発明の効果】
【００１５】
本発明によれば、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた開孔部と、一部に鍔部を形成した筒状の碍子と、前記ヒーターユニットから延設したヒーター線と接続するリード線と、このヒーター線およびリード線を覆う絶縁チューブとを有し、前記碍子を前記開孔部に嵌入して前記鍔部にて係止し、前記筒状の碍子が有する中央穴部に前記ヒーター線および前記リード線を貫通するとともに、前記絶縁チューブの一端を前記中央穴部を覆うように前記碍子に当接し、固定具にて前記絶縁チューブの他端を前記リード線に圧接することにより、ヒーターボックスの開孔部の気密性が向上して空気漏れを防止でき、除湿能力を維持しつつ製造コスト低減できる効果のある除湿機を提供できる。
【００１６】
また、碍子の他端に凹部を形成し、この凹部に絶縁チューブの一端が嵌入するようにしたことにより、碍子の中央穴部の気密性が向上して空気漏れを防止でき、除湿能力を維持しつつ製造コストを低減できる効果のある除湿機を提供できる。
【００１７】
また、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の穴部と、前記ヒーターボックスの外側より前記穴部に合わせて設けた異常温度検出手段と、この異常温度検出手段を前記ヒーターボックスの外面とで挟持する固定板を設けたことにより、ヒーターボックスへの異常温度検出装置の着脱が容易に行えるとともに、簡単な取付構造としても空気漏れを生じさせないという効果のある除湿機を提供できる。
【発明を実施するための最良の形態】
【００１８】
本発明の請求項１記載の発明は、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた開孔部と、一部に鍔部を形成した筒状の碍子と、前記ヒーターユニットから延設したヒーター線と接続するリード線と、このヒーター線およびリード線を覆う絶縁チューブとを有し、前記碍子を前記開孔部に嵌入して前記鍔部にて係止し、前記筒状の碍子が有する中央穴部に前記ヒーター線および前記リード線を貫通するとともに、前記絶縁チューブの一端を前記中央穴部を覆うように前記碍子に当接し、固定具にて前記絶縁チューブの他端を前記リード線に圧接するものであり、ヒーターボックス、碍子、絶縁チューブの各部品相互が圧接状態で維持され、密着性および気密性が向上して空気漏れを防止できるという作用を有する。
【００１９】
また、碍子の他端に凹部を形成し、この凹部に絶縁チューブの一端が嵌入するようにしたものであり、碍子と絶縁チューブ間の密着性および気密性が更に向上して空気漏れを防止できるという作用を有する。
【００２０】
また、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の穴部と、前記ヒーターボックスの外側より前記穴部に合わせて設けた異常温度検出手段と、この異常温度検出手段を前記ヒーターボックスの外面とで挟持する固定板を設けたものであり、異常温度検出手段の取付け、取外し作業が容易になり、リード線を導出する開孔部がないので空気漏れを生じないという作用を有する。
【００２１】
以下、本発明の実施の形態について図面を参照しながら説明する。
【００２２】
（実施の形態１）
本実施例の全体構成は従来例とほぼ同一であり、同一構成のものは詳細な説明を省略する。
【００２３】
図１〜図３に示すように、本体１内には空気中の水分を吸着する除湿ローター２と、駆動モーター３と、発熱ユニット４と、熱交換器５と、高温高湿空気を発熱ユニット４に戻すダクト５ａを内蔵している。第１送風ファン７により発熱ユニット４、除湿ローター２、熱交換器５、ダクト６の順序に通過する空気を閉循環させる閉循環風路ａと、第２送風ファン８により熱交換器５を冷却するとともに除湿ローター２に水分を吸着させて吹出口から乾燥空気を送出する風路ｂを形成している。なお閉循環風路ａにおいて、熱交換器５内で生じた結露水は排水タンク９に貯えるようになっている。
【００２４】
また、発熱ユニット４のヒーターボックス１０内部に、ヒーター線１１を支持板に巻き付けたヒーターユニット１１Ａを有している。ヒーターボックス１０にヒーター線１１を通すための内側に絞り加工した開孔部１０ｂを設け、中心に中央穴部１４ｄを開孔し外側に鍔部１４ａを付設した碍子１４を開孔部１０ｂに挿入し、ヒーター線１１を中央穴部１４ｄに通して、ヒーターボックス１０より導出しヒーター線１１の先端にリード線２１を圧着端子で接続している。ヒーター線１１とリード線２１を絶縁チューブ１５で覆い、絶縁チューブ１５の一端を碍子１４の表面に当接し、インシュロックタイ１６を絶縁チューブ１５の他端に圧接させつつ、リード線２１に巻き付け固定している。
【００２５】
上記構成において、インシュロックタイ１６によって絶縁チューブ１５を動かないように拘束することで、絶縁チューブ１５は碍子１４をヒーターボックス１０に押圧することになり、ヒーターボックス１０の表面１０ａと碍子１４の鍔部１４ａ、およびヒーターボックス１０の開孔部１０ｂと碍子１４の側面１４ｂがそれぞれ密着して空気漏れを防止できる。すなわち組立が容易で高価な材料を使わずにヒーターボックス１０の開孔部１０ｂから空気が漏れるのを防止することができ、除湿ローター２の除湿能力を維持しつつ、製造コストを低減することができる。
【００２６】
（実施の形態２）
図２〜図４に示すように、碍子１７の鍔部１７ａの上端面に円筒状の凹部１７ｃを形成し、凹部１７ｃの内径は絶縁チューブ１５の一端が嵌入できる寸法関係となっている。そしてインシュロックタイ１６で固定されるとき、絶縁チューブ１５の一端は碍子１７の凹部１７ｃに嵌入した状態としている。なお、碍子１７の中心には凹部１７ｃの底面に中央穴部１７ｄが開孔している。
【００２７】
上記構成において、インシュロックタイ１６によって絶縁チューブ１５を凹部１７ｃに嵌入して固定することで、碍子１７との密着性が確保される。したがって、碍子１７の中央穴部１７ｄを通して碍子１７の鍔部１７ａと絶縁チューブ１５の間から漏れようとするヒーターボックス１０内の熱気は、碍子１７の凹部１７ｃに嵌入した絶縁チューブ１５に阻れ、ヒーターボックス１０の外へ漏れ出ることはない。したがって組立が容易で高価な材料を使うことなく、碍子１７の中央穴部１７ｄからヒーターボックス内の空気が漏れるのを防止することができ、除湿ローター２除湿能力を維持しつつ製造コストを低減することができる。
【００２８】
（実施の形態３）
図２、図３および図５に示すように、発熱ユニット４のヒーターボックス１０には温度ヒューズ１３の外形より小なる寸法の長穴部１８と、ヒーターサーミスタ１２の外形より小なる寸法の長穴部１９を形成している。ヒーターボックス１０の外側から温度ヒューズ１３を長穴部１８に合わせて置き、ヒーターサーミスタ１２を長穴部１９に合わせて置き、さらに固定板２０でネジ止めすることにより密着して固定できる構成としている。また、温度ヒューズ１３とヒーターサーミスタ１２のリード線１３ａ、１２ａはヒーターボックス１０の外側でそのまま結線できるようになっている。
【００２９】
上記構成において、温度ヒューズ１３は長穴部１８の上に置かれ、ヒーターサーミスタ１２は長穴部１９の上に置かれ、固定板２０によりほぼ完全に密着されるため長穴部１８、１９からの空気漏れを防止できる。また、温度ヒューズ１３とヒーターサーミスタ１２の着脱はヒーターボックス１０の外側から固定板２０の着脱のみにより容易に行うことができる。したがって、温度ヒューズ１３などの着脱が容易に行えるとともに、簡単な構造でヒーターボックス１０から空気が漏れるのを防止でき、リード線処理もヒーターボックス１０の外側で行うため、空気漏れの対策を施す必要がなくなる。
【図面の簡単な説明】
【００３０】
【図１】本発明の実施例１の除湿機の発熱ユニットの要部断面図
【図２】同実施例１〜３の除湿機の構成図
【図３】同実施例１〜３のヒーターボックスの外観図
【図４】同実施例２の発熱ユニットの要部断面図
【図５】同実施例３の温度ヒューズなど取付前のヒーターボックスの外観図
【図６】従来の除湿機の構成図
【図７】同除湿機の発熱ユニットの内部平面図
【図８】同除湿機の発熱ユニットの要部断面図
【符号の説明】
【００３１】
１      本体
２      除湿ローター
３      駆動モーター
４      発熱ユニット
５      熱交換器
６      ダクト
７      第１送風ファン
８      第２送風ファン
１０    ヒーターボックス
１０ｂ  開孔部
１１    ヒーター線
１１Ａ  ヒーターユニット
１２    ヒーターサーミスタ（異常温度検出手段）
１３    温度ヒューズ（異常温度検出手段）
１４    碍子
１４ａ  鍔部
１４ｄ  中央穴部
１５    絶縁チューブ
１６    インシュロックタイ（固定具）
１７    碍子
１７ａ  鍔部
１７ｃ  凹部
１７ｄ  中央穴部
１８    長穴部（穴部）
１９    長穴部（穴部）
２０    固定板
２１    リード線
【図１】
2007271260.tif 000003
【図２】
2007271260.tif 000004
【図３】
2007271260.tif 000005
【図４】
2007271260.tif 000006
【図５】
2007271260.tif 000007
【図６】
2007271260.tif 000008
【図７】
2007271260.tif 000009
【図８】
2007271260.tif 000010
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の長穴部と、前記ヒーターボックスの外側より前記長穴部に合わせて設けた異常温度検出手段と、この異常温度検出手段を前記ヒーターボックスの外面とで挟持する固定板を有し、前記長穴部は前記異常温度検出手段より外形寸法小なる寸法とした除湿機。
【請求項２】
異常温度検出手段は温度ヒューズとヒーターサーミスタからなり、ヒーターボックスに設けた略平行な複数の長穴部に合わせて前記温度ヒューズとヒーターサーミスタを配置し、固定板によりねじ止め固定してなる請求項１記載の除湿機。
【手続補正２】
【補正対象書類名】明細書
【補正対象項目名】全文
【補正方法】変更
【補正の内容】
【発明の詳細な説明】
【技術分野】
【０００１】
本発明は、室内空気を除湿するデシカント方式の除湿機に関するものである。
【背景技術】
【０００２】
従来、この種の除湿機は、図６〜図８に示すものが一般的であった。
【０００３】
以下、その除湿機について図を参照しながら説明する。
【０００４】
図に示すように、本体１０１内部に、駆動モーター１０２により回転される空気中の水分を吸脱着するための除湿ローター１０３と、この除湿ローター１０３を加熱する発熱ユニット１０４を設け、発熱ユニット１０４はヒーター線１０４ａを備えている。ヒーター線１０４ａで加熱された除湿ローター１０３は高温高湿空気を放出し、この高温高湿空気は熱交換器１０５と、サブ熱交換器１０６を通るときに結露水を生成し、この結露水は排水タンク１０９に流れ込む。また、除湿ローター１０３から熱交換器１０５、サブ熱交換器１０６、発熱ユニット１０４に戻る閉循環経路ａに空気を通風する第１の送風ファン１０７を設け、本体１０１内に室内空気を吸込み、乾燥空気を排出する通風路ｂに第２の送風ファン１０８を設けている。
【０００５】
前記発熱ユニット１０４は外郭であるヒーターボックス１０４ｂと、内部に異常温度上昇に対する安全性を確保するための第一段の保護装置であるヒーターサーミスタ１１０と、第二段の保護装置である温度ヒューズ１１１を備えている。ヒーター線１０４ａは金属製のヒーターボックス１０４ｂの開孔部に挿入された筒状碍子１１２を通して外部に導出され、絶縁チューブ１１３で覆われている。発熱ユニット１０４からの空気漏れによる除湿能力の低下を防止するために、碍子１１２の中央穴部と絶縁チューブ１１３端にシリコンボンド１１４を塗布した構成となっている。また、ヒーターサーミスタ１１０などのリード線をヒーターボックス１０４ｂ内から導出する場合も同一構成であり、碍子と絶縁チューブにシリコンボンドを塗布して空気漏れを防ぐものであった。
【発明の開示】
【発明が解決しようとする課題】
【０００６】
このような従来の除湿機に使用される発熱ユニットは、熱効率の低下を防止するために、発熱ユニットの複数の穴に後作業でシリコンボンドを塗布しているが、シリコンボンドが完全に硬化するまでの時間がかかり、硬化するまでは触ることが出来ず、塗布量の管理も難しく、シリコンボンド自体のコストが高いという課題があり、短時間の簡単な作業で高価な材料を使用することなく、ヒーターボックスの開孔部または碍子の中央穴部の空気漏れを防止することが要求されている。
【０００７】
また、異常温度検出用のヒーターサーミスタと温度ヒューズはヒーターボックス内に収納されているため、取付時やメンテナンスにおいて作業性が悪く、ヒーターボックスからリード線を引き出すのに空気漏れ対策を施す必要があるという課題があり、ヒーターサーミスタなどの異常温度検出部品の着脱が容易で、取付後に空気漏れを生じない構造とすることが要求されている。
【０００８】
本発明は、このような従来の課題を解決するものであり、組立が容易でコストを掛けずにヒーターボックスの開孔部または碍子の中央穴部からの空気漏れを防ぎ、またヒーターボックスへの異常温度検出手段の着脱が容易で空気漏れを生じない除湿機を提供することを目的としている。
【課題を解決するための手段】
【０００９】
本発明の除湿機は上記目的を達成するために、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の長穴部と、前記ヒーターボックスの外側より前記長穴部に合わせて設けた異常温度検出手段と、この異常温度検出手段を前記ヒーターボックスの外面とで挟持する固定板を有し、前記長穴部は前記異常温度検出手段より外形寸法小なる寸法としたものである。
【００１０】
本発明によれば、ヒーターボックスへの異常温度検出部品の着脱が容易で、長穴部からの空気漏れを生じない除湿機が得られる。
【００１１】
また他の手段は、異常温度検出手段は温度ヒューズとヒーターサーミスタからなり、ヒーターボックスに設けた略平行な複数の長穴部に合わせて前記温度ヒューズとヒーターサーミスタを配置し、固定板によりねじ止め固定してなるものである。
【００１２】
本発明によれば、長穴部に温度ヒューズとヒーターサーミスタを密着して固定できるとともに、リード線処理もヒーターボックスの外側で行うため、空気漏れの対策を施す必要のない除湿機が得られる。
【発明の効果】
【００１３】
本発明によれば、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の長穴部と、前記ヒーターボックスの外側より前記長穴部に合わせて設けた異常温度検出手段と、この異常温度検出手段を前記ヒーターボックスの外面とで挟持する固定板を有し、前記長穴部は前記異常温度検出手段より外形寸法小なる寸法としたことにより、ヒーターボックスへの異常温度検出装置の着脱が外面から容易に行えるとともに、簡単な取付構造としても長穴部から空気漏れを生じさせないという効果のある除湿機を提供できる。
【００１４】
また、異常温度検出手段は温度ヒューズとヒーターサーミスタからなり、ヒーターボックスに設けた略平行な複数の長穴部に合わせて前記温度ヒューズとヒーターサーミスタを配置し、固定板によりねじ止め固定することにより、長穴部に温度ヒューズとヒーターサーミスタを同時に密着して固定することができ、また固定板のみの着脱で容易にできるとともに、リード線処理もヒーターボックスの外側で行うため、空気漏れの対策を施す必要がなくなるという効果のある除湿機を提供できる。
【発明を実施するための最良の形態】
【００１５】
本発明の請求項１記載の発明は、本体内部に、空気中の水分を吸着する除湿ローターと、前記除湿ローターを回転させる駆動モーターと、前記除湿ローターから水分を放出させる発熱ユニットと、この発熱ユニットにより前記除湿ローターから放出された高温高湿空気を結露させる熱交換器と、前記熱交換器を通過した高温高湿空気を前記発熱ユニットに戻すダクトと、前記発熱ユニット、除湿ローター、熱交換器、ダクトの順序に通過する空気を閉循環させる第１送風ファンと、前記熱交換器を冷却するとともに前記除湿ローターに水分を吸着させて前記本体に設けた吹出口から乾燥空気を送出する第２送風ファンとを具備し、前記発熱ユニットは、ヒーターボックス内に固定されるヒーターユニットと、前記ヒーターボックスに設けた温度検出用の長穴部と、前記ヒーターボックスの外側より前記長穴部に合わせて設けた異常温度検出手段と、この異常温度検出手段を前記ヒーターボックスの外面とで挟持する固定板を設け、前記長穴部は前記異常温度検出手段より外形寸法小なる寸法としたものであり、異常温度検出手段の取付け、取外し作業が容易になり、リード線を導出する開孔部がないので空気漏れを生じないという作用を有する。
【００１６】
以下、本発明の実施の形態および参考の形態について図面を参照しながら説明する。
【００１７】
（参考の形態１）
本参考の形態および後述する実施の形態の全体構成は従来例とほぼ同一であり、従来例と同一構成のものは詳細な説明を省略する。
【００１８】
図１〜図３に示すように、本体１内には空気中の水分を吸着する除湿ローター２と、駆動モーター３と、発熱ユニット４と、熱交換器５と、高温高湿空気を発熱ユニット４に戻すダクト５ａを内蔵している。第１送風ファン７により発熱ユニット４、除湿ローター２、熱交換器５、ダクト６の順序に通過する空気を閉循環させる閉循環風路ａと、第２送風ファン８により熱交換器５を冷却するとともに除湿ローター２に水分を吸着させて吹出口から乾燥空気を送出する風路ｂを形成している。なお閉循環風路ａにおいて、熱交換器５内で生じた結露水は排水タンク９に貯えるようになっている。
【００１９】
また、発熱ユニット４のヒーターボックス１０内部に、ヒーター線１１を支持板に巻き付けたヒーターユニット１１Ａを有している。ヒーターボックス１０にヒーター線１１を通すための内側に絞り加工した開孔部１０ｂを設け、中心に中央穴部１４ｄを開孔し外側に鍔部１４ａを付設した碍子１４を開孔部１０ｂに挿入し、ヒーター線１１を中央穴部１４ｄに通して、ヒーターボックス１０より導出しヒーター線１１の先端にリード線２１を圧着端子で接続している。ヒーター線１１とリード線２１を絶縁チューブ１５で覆い、絶縁チューブ１５の一端を碍子１４の表面に当接し、インシュロックタイ１６を絶縁チューブ１５の他端に圧接させつつ、リード線２１に巻き付け固定している。
【００２０】
上記構成において、インシュロックタイ１６によって絶縁チューブ１５を動かないように拘束することで、絶縁チューブ１５は碍子１４をヒーターボックス１０に押圧することになり、ヒーターボックス１０の表面１０ａと碍子１４の鍔部１４ａ、およびヒーターボックス１０の開孔部１０ｂと碍子１４の側面１４ｂがそれぞれ密着して空気漏れを防止できる。すなわち組立が容易で高価な材料を使わずにヒーターボックス１０の開孔部１０ｂから空気が漏れるのを防止することができ、除湿ローター２の除湿能力を維持しつつ、製造コストを低減することができる。
【００２１】
（参考の形態２）
図２〜図４に示すように、碍子１７の鍔部１７ａの上端面に円筒状の凹部１７ｃを形成し、凹部１７ｃの内径は絶縁チューブ１５の一端が嵌入できる寸法関係となっている。そしてインシュロックタイ１６で固定されるとき、絶縁チューブ１５の一端は碍子１７の凹部１７ｃに嵌入した状態としている。なお、碍子１７の中心には凹部１７ｃの底面に中央穴部１７ｄが開孔している。
【００２２】
上記構成において、インシュロックタイ１６によって絶縁チューブ１５を凹部１７ｃに嵌入して固定することで、碍子１７との密着性が確保される。したがって、碍子１７の中央穴部１７ｄを通して碍子１７の鍔部１７ａと絶縁チューブ１５の間から漏れようとするヒーターボックス１０内の熱気は、碍子１７の凹部１７ｃに嵌入した絶縁チューブ１５に阻れ、ヒーターボックス１０の外へ漏れ出ることはない。したがって組立が容易で高価な材料を使うことなく、碍子１７の中央穴部１７ｄからヒーターボックス内の空気が漏れるのを防止することができ、除湿ローター２除湿能力を維持しつつ製造コストを低減することができる。
【００２３】
（実施の形態１）
図２、図３および図５に示すように、発熱ユニット４のヒーターボックス１０には温度ヒューズ１３の外形より小なる寸法の長穴部１８と、ヒーターサーミスタ１２の外形より小なる寸法の長穴部１９を形成している。ヒーターボックス１０の外側から温度ヒューズ１３を長穴部１８に合わせて置き、ヒーターサーミスタ１２を長穴部１９に合わせて置き、さらに固定板２０でネジ止めすることにより密着して固定できる構成としている。また、温度ヒューズ１３とヒーターサーミスタ１２のリード線１３ａ、１２ａはヒーターボックス１０の外側でそのまま結線できるようになっている。
【００２４】
上記構成において、温度ヒューズ１３は長穴部１８の上に置かれ、ヒーターサーミスタ１２は長穴部１９の上に置かれ、固定板２０によりほぼ完全に密着されるため長穴部１８、１９からの空気漏れを防止できる。また、温度ヒューズ１３とヒーターサーミスタ１２の着脱はヒーターボックス１０の外側から固定板２０の着脱のみにより容易に行うことができる。したがって、温度ヒューズ１３などの着脱が容易に行えるとともに、簡単な構造でヒーターボックス１０から空気が漏れるのを防止でき、リード線処理もヒーターボックス１０の外側で行うため、空気漏れの対策を施す必要がなくなる。
【図面の簡単な説明】
【００２５】
【図１】本発明の参考の形態１の除湿機の発熱ユニットの要部断面図
【図２】同参考の形態１、２および実施の形態１の除湿機の構成図
【図３】同参考の形態１、２および実施の形態１のヒーターボックスの外観図
【図４】同参考の形態２の発熱ユニットの要部断面図
【図５】同実施の形態１の温度ヒューズなど取付前のヒーターボックスの外観図
【図６】従来の除湿機の構成図
【図７】同除湿機の発熱ユニットの内部平面図
【図８】同除湿機の発熱ユニットの要部断面図
【符号の説明】
【００２６】
１      本体
２      除湿ローター
３      駆動モーター
４      発熱ユニット
５      熱交換器
６      ダクト
７      第１送風ファン
８      第２送風ファン
１０    ヒーターボックス
１０ｂ  開孔部
１１    ヒーター線
１１Ａ  ヒーターユニット
１２    ヒーターサーミスタ（異常温度検出手段）
１３    温度ヒューズ（異常温度検出手段）
１４    碍子
１４ａ  鍔部
１４ｄ  中央穴部
１５    絶縁チューブ
１６    インシュロックタイ（固定具）
１７    碍子
１７ａ  鍔部
１７ｃ  凹部
１７ｄ  中央穴部
１８    長穴部（穴部）
１９    長穴部（穴部）
２０    固定板
２１    リード線